(57)【要約】【課題】  放送映像とＨＤＤの蓄積映像を２画面表示しているときに、放送映像をフル画面表示し、更に２画面表示に戻す際の操作性を改善する。【解決手段】  放送映像とＨＤＤ３０の蓄積映像を同時に表示する２画面表示のときに、ユーザが放送映像の全画面表示を指示すると、ＣＰＵ６２は、ＨＤＤ３０からの再生を一時停止状態にする。２画面表示に戻す指示に応じて、ＣＰＵ６２はＨＤＤ３０の一時停止を解除し、再生を再開する。【選択図】  図１
2008167476.tif 000002
【特許請求の範囲】
【請求項１】
放送波を受信できる放送受信手段と、
映像を記録再生する記録再生手段と、
受信した放送波の映像、当該記録再生手段からの蓄積映像及びこれらの合成画像の何れかを選択的に表示可能な表示手段と、
受信した放送波の映像、記録装置からの蓄積映像及びこれらの合成画像の何れを表示するかを指定する指定手段と、
当該指定手段の指定に連動して、当該記録再生手段の再生動作を制御する制御手段
とを具備することを特徴とする画像表示装置。
【請求項２】
放送波を受信できる放送受信手段と、
映像を記録再生する記録再生手段と、
受信した放送波の映像、当該記録再生手段からの蓄積映像及びこれらの合成画像の何れかを選択的に表示可能な表示手段と、
当該記録再生手段からの再生を一時停止するか再生するかを指定する指定手段と、
当該指定手段の指定に連動して、放送波または当該記録再生装置からの蓄積映像を個々に表示するか合成して表示するかを制御する制御手段
とを具備することを特徴とする画像表示装置。
【請求項３】
当該記録再生手段からの再生を再開する際、一時停止した時間より前の時間から再生を再開することを特徴とする画像表示装置。
【請求項４】
放送波を受信できる放送受信手段と、
映像を記録再生する記録再生手段と、
受信した放送波の映像、当該記録再生手段からの蓄積映像及びこれらの合成画像の何れかを選択的に表示可能な表示手段と、
合成表示中に当該記録再生手段からの映像のみを表示するように指定する指定手段
とを具備し、当該指定手段の指定に応じて、当該記録再生手段に放送波を記録することを特徴とする画像表示装置。
【請求項５】
当該記録再生手段は、ハードディスクドライブ装置を具備することを特徴とする請求項４に記載の画像表示装置。
【請求項６】
受信した放送映像と記録装置からの蓄積映像を同時に表示するステップと、
ユーザの１画面表示指示により放送映像のみを表示し、記録装置からの再生を一時停止するステップと、
ユーザの２画面表示指示により記録装置の再生を再開し、蓄積映像と受信した放送映像を同時に表示するステップ
を有することを特徴とする画像表示方法。
【請求項７】
受信した放送映像と記録装置からの蓄積映像を同時に表示するステップと、
ユーザの再生一時停止指示により放送映像のみを表示し、記録装置からの再生を一時停止するステップと、
ユーザの再生再開指示により記録装置の再生を再開し、蓄積映像と受信した放送映像を同時に表示するステップ
を有することを特徴とする画像表示方法。
【請求項８】
当該記録装置からの再生再開時に、一時停止した時間より前の時間から再生を再開するステップを有することを特徴とする画像表示方法。
【発明の詳細な説明】
【技術分野】
【０００１】
本発明は、マルチ画面を表示可能な画像表示装置及び方法に関する。
【背景技術】
【０００２】
番組を記録媒体に記録する事が可能な画像表示装置において、放送波の映像と記録媒体からの再生映像を同時に表示する構成が知られている（特開平１０−３０４２８７号公報参照）。
【特許文献１】特開平１０−３０４２８７号公報
【発明の開示】
【発明が解決しようとする課題】
【０００３】
放送波の映像と記録媒体からの蓄積映像を同時に表示している際、放送波の映像を見ようとして映像を切り替えるのみで、蓄積映像に対して一時停止か停止の指示をしないと、再生映像は勝手に進んでしまう問題がある。また、放送波の映像と記録媒体からの蓄積映像を同時に表示している際、蓄積映像に対して停止の指示をしただけでは、再生映像を映していた表示領域には何も表示されていないので、放送波の映像を全画面表示させる指示が必要になる。
【０００４】
本発明は、このような問題点を解決する画像表示装置及び方法を提示することを目的とする。
【課題を解決するための手段】
【０００５】
本発明に係る画像表示装置は、放送波を受信できる放送受信手段と、映像を記録再生する記録再生手段と、受信した放送波の映像、当該記録再生手段からの蓄積映像及びこれらの合成画像の何れかを選択的に表示可能な表示手段と、受信した放送波の映像、記録装置からの蓄積映像及びこれらの合成画像の何れを表示するかを指定する指定手段と、当該指定手段の指定に連動して、当該記録再生手段の再生動作を制御する制御手段とを具備することを特徴とする。
【発明の効果】
【０００６】
以上の説明から容易に理解できるように、本発明によれば、非常に簡単な操作で、放送波の映像記録媒体からの蓄積映像の両方又は片方の表示を切り換えることができる。
【発明を実施するための最良の形態】
【０００７】
以下、図面を参照して、本発明の実施例を詳細に説明する。
【実施例１】
【０００８】
図１は、本発明の一実施例であるテレビ受像機の概略構成ブロック図を示す。放送はＤＶＢ（Ｄｉｇｉｔａｌ  Ｖｉｄｅｏ  Ｂｒｏａｄｃａｓｔｉｎｇ）のデジタル放送システム、映像はＩＳＯ／ＩＥＣ６１８１８−２のＭＰＥＧ２、音声はＩＳＯ／ＩＥＣ６１８１８−３のＭＰＥＧ２規格にそれぞれ従い伝送されるものとする。
【０００９】
６２はプログラムに従いこのテレビ全体を制御するＣＰＵ、５８はプログラムが納められたプログラムＲＯＭ、５０はＣＰＵ６２と各部を結ぶ共通バスである。
【００１０】
１０はデジタル放送波を受信するアンテナ、１２は受信した放送波の中からＣＰＵ６２の指示に従い所望の周波数を選択するデジタルチューナである。デジタルチューナ１２の出力は、復調＆エラー訂正回路１４で復調およびエラー訂正され、トランスポートストリームとして出力される。デマルチプレクサ１６は、回路１４からのストリームから、ＣＰＵ６２の指定するＰＩＤ（Ｐａｃｋｅｔ  ＩＤｅｎｔｉｆｉｅｒ）を持つストリームを選択し、放送映像ストリームを映像デコーダ１８に、放送音声ストリームを音声デコーダ３８に供給する。映像デコーダ１８は、入力を非圧縮の映像データにデコードし、デジタル放送映像データを解像度変換回路２０に出力する。解像度変換回路２０は、入力映像データの解像度をＣＰＵ６２の指定する解像度に変換する。
【００１１】
一方、復調＆エラー訂正回路１４から出力されるトランスポートストリーム信号はまた、ＣＰＵ６２の指示の下でハードディスク（ＨＤＤ）３０を制御するＨＤＤインターフェース２８によりＨＤＤ３０に書き込まれる。その際、番組ごとに映像のサムネイルと番組名もＨＤＤ３０に書き込むとする。
【００１２】
ＨＤＤ３０に書き込まれたトランスポートストリーム信号は、ＣＰＵ６２の指示によりＨＤＤインターフェース２８により読み出され、デマルチプレクサ３２に供給される。デマルチプレクサ３２は、ＨＤＤインターフェース２８からの多重化されたストリームからＣＰＵ６２の指定するＰＩＤを持つストリームを選択し、映像ストリームを映像デコーダ３４に、音声ストリームを音声デコーダ３８に供給する。映像デコーダ３４は、入力データを非圧縮の映像データにデコードし、解像度変換回路３６に印加する。解像度変換回路３６は、入力映像データの解像度をＣＰＵ６２の指定する解像度に変換する。
【００１３】
ＨＤＤインターフェース２８は、復調＆エラー訂正回路１４からのトランスポートストリームのＨＤＤ３０への書き込む動作と、ＨＤＤ３０からデータを読み出しデマルチプレクサ３２に供給する動作を同時に実行できる。
【００１４】
６４は、ＣＰＵ６２の指示により受信チャネル及びＨＤＤ３０の動作状態等の各種表示情報を発生するＯＳＤ（Ｏｎ  Ｓｃｒｅｅｎ  Ｄｉｓｐｌａｙ）回路である。
【００１５】
合成器２２は、解像度変換回路２０から出力される映像、解像度変換回路３６から出力される映像及びＯＳＤ回路６４から出力される表示情報を１つの映像に合成する。Ｄ／Ａ変換器２４は、合成器２２からの合成映像データをアナログ信号に変換して、ＣＲＴ等の表示器２６に印加する。
【００１６】
音声処理部分を説明する。スイッチ４２は、ＣＰＵ６２の指示に従い、音声デコーダ３８の出力（放送音声）又は音声デコーダ４０の出力（蓄積音声）を選択する。選択された音声信号は、Ｄ／Ａ変換器４４によりアナログ信号に変換され、アンプ４６で増幅され、スピーカ４８から音声として出力される。
【００１７】
共通バス５０には、ＣＰＵ６２及びＯＳＤ回路６４の他に、リモコン装置５２の赤外線コードを受光しＣＰＵ６２に伝えるリモコンインターフェース５４、ＣＰＵ６２のワークメモリであるＲＡＭ５６、プログラムを記憶するプログラムＲＯＭ５８、及び、リモコン装置５２で電源をオフにする時に受信していたチャネルを記憶する不揮発性メモリ６０が、接続する。
【００１８】
図３は、リモコン装置５２の外観図を示す。７０は赤外線発光部であり、各キー７２〜１１４が押されると、それに対応したコードの赤外線信号が赤外線発光部７０から出力される。７２は電源キー、８４はＨＤＤメニューキーで、これが押されると、ＨＤＤ３０に蓄えられた図３に示すような蓄積番組一覧メニュー画面が表示される。７４は決定キー、７６は右カーソルキー、７８は下カーソルキー、８０は左カーソルキー、８２は上カーソルキーである。
【００１９】
図３に示す例では、選択された番組は、符号１２０で示すように太線付きで表示される。各カーソル７６〜８２により所望の番組を選択し、決定キー７４を押すことで決定され、ＨＤＤ３０に蓄えられている番組が再生される。この動作の詳細は、後述する。
【００２０】
キー８６〜９６は、ＨＤＤ３０を制御するキーである。８６は早戻しキー、８８は再生キー、９０は早送りキー、９２は録画キー、９４はストップキー、９６はポーズキーである。
【００２１】
１０４はチャネルダイレクトキー群であり、数字キーが押された時、１から１０チャネルまでのチャネルが直接選択され、放送映像が表示される。１０６は番組表キーであり、この操作により電子番組表（ＥＰＧ）が表示される。１０８はチャネルダウンキーであり、このキー１０８を押すたびに、チャネルがダウンする。１１０はチャネルアップキーであり、このキー１１０を押すたびに、チャネルがアップする。１１２は音量ダウンキーであり、このキー１１２を押すたびに音量が下がる。１１４は音量アップキーであり、このキー１１４を押すたびに音量が上がる。
【００２２】
９８〜１０２は画面制御キーである。即ち、１００は１画面表示の時に押すと２画面表示になり、もう一度押すと１画面に戻る２画面キーである。９８は左画面キーであり、２画面表示の時に押すと、左画面の音が出るようにスイッチ４２を切り替え、音量キー１１２，１１４、チャネルダイレクトキー群１０４、チャネルダウンキー１０８及びチャネルアップキー１１０が、左画面に対して有効になる。１０２は右画面キーであり、左画面キー９８と同様な機能を持つ。
【００２３】
図１及び図２を参照して、ＨＤＤ３０に蓄えられた番組を選択する方法を説明する。
【００２４】
ユーザがリモコン装置５２のＨＤＤメニューキー８４を押すと、それが、リモコンインターフェース５４を介してＣＰＵ６２に通知される。ＣＰＵ６２は、ＨＤＤインターフェース２８に対しＨＤＤ３０に蓄えられた蓄積番組のサムネイル映像データを読み出させる。ＯＳＤ回路６４は、その映像データを展開し、選択された番組の外枠に太線を付加し、合成器２２を介して表示させる。これにより、図３に示すような蓄積番組一覧のメニュー画面が表示される。
【００２５】
図４及び図５に示すフローチャートを参照して、全体の動作を説明する。このテレビの電源がオンされると（Ｓ１１）、ＣＰＵ６２は不揮発性メモリ２８から最後に電源オフしたときのチャネル番号を読み込む（Ｓ１２）。ＣＰＵ６２はそのチャネルに相当する周波数をデジタルチューナ１２に設定し（Ｓ１３）、復調＆エラー訂正回路１４から指定チャネルを含む多重化されたトランスポートストリームが出力される。ＣＰＵ６２はデマルチプレクサ１６を介して読みとったＰＡＴ（Ｐｒｏｇｒａｍ  Ａｓｓｏｃｉａｔｉｏｎ  Ｔａｂｌｅ）とＰＭＴ（Ｐｒｏｇｒａｍ  Ｍａｐｐｅｄ  Ｔａｂｌｅ）を基に目的のチャネルの映像と音声のＰＩＤを知り、そのＰＩＤでフィルタリングするようにデマルチプレクサ１６を設定する（Ｓ１４）。
【００２６】
映像デコーダ１８は、入力する放送映像ストリームをデコードする。ＣＰＵ６２は、デコードした解像度と表示器２６の解像度と画面数（今回は１）を考慮し、解像度変換回路２０に適切な拡大率又は縮小率（変換率）を設定し、解像度変換回路２０は、その変換率で入力映像データの解像度を変換する（Ｓ１５）。例えば、デコードされた解像度が横１９２０画素、縦１０８０画素で、表示器２６も同じ解像度の場合、画面数１なので、解像度変換回路２０の変換率は等倍になる。
【００２７】
合成器２２は、放送映像以外を合成しないので、表示器２６には全画面に放送波の映像が表示され続ける（Ｓ１６）。デマルチプレクサ１６からの音声ストリームは、音声デコーダ３８でデコードされる。スイッチ４２は、音声デコーダ３８を選択するので、音声デコーダ３８の出力が、スイッチ４２、Ｄ／Ａ変換器４４及びアンプ４６を介してスピーカ４８に印加される。
【００２８】
この状態でユーザがリモコン装置５２のＨＤＤメニューキー８４を押すと（Ｓ１７）、先に説明したように、図３に示すような蓄積番組一覧のメニュー画面が表示される。カーソルキー７６〜８２を使って番組を選択し、選択した番組上で決定キーが押されると（Ｓ１８）、指定した番組の蓄積ストリームがＨＤＤ３０から再生される（Ｓ２０）。上記と同様に、デマルチプレクサ３２で目的のＰＩＤがフィルタリングされる（Ｓ２１）。再生された映像ストリームは、映像デコーダ３４でデコードされ、解像度変換回路３６で解像度を変換され（Ｓ２２）、合成器２２を介して表示器２６の全画面に表示され続ける（Ｓ２３）。デマルチプレクサ３２からの音声ストリームは、音声デコーダ４０でデコードされる。スイッチ４２は音声デコーダ４０を選択するので、音声デコーダ４０の出力が、スイッチ４２、Ｄ／Ａ変換器４４及びアンプ４６を介してスピーカ４８に印加される。
【００２９】
更にユーザがリモコン装置５２の２画面キー１００を押すと（Ｓ２４）、ＣＰＵ６２は、最後に見た放送波のチャネルを基にステップＳ１３からＳ１５の処理と同様に、放送波をデコードする。ＣＰＵ６２は、解像度変換回路２０に解像度を表示画面の半分にするように指示し、ＯＳＤ回路６４には、表示画面の右端上にチャネル番号を出し、合成器２２には、右半分に表示するように指示する（Ｓ２５）。
【００３０】
一方、ＨＤＤ３０からの蓄積映像は出力され続け、ステップＳ２０からＳ２２の処理と同様にデコードされる。ＣＰＵ６２は、解像度変換回路３６に解像度を表示画面の半分にするように指示し、ＯＳＤ回路６４には表示画面の中央上のやや左寄りに「ＨＤＤ  ＰＬＡＹ」の文字をだすように指示し、合成器２２には、蓄積映像を左半分に表示するよう指示する（Ｓ２６）。
【００３１】
これにより、表示器２６には、図６（ａ）に示すような放送映像１３４が画面の右半分に、蓄積映像１３２が画面の左半分に合成された形式で表示される。更に、放送映像の右上にはチャネル番号１４０が表示され、蓄積映像の右上には「ＨＤＤ  ＰＬＡＹ」の文字１３８がＯＳＤ回路６４により合成表示される。
【００３２】
この状態で、ユーザがリモコン装置５２の右画面キー１０２と音量アップキー１１４を押したとする（Ｓ２７）。すると、右画面の放送波の音量がアップする（Ｓ２８）。更にユーザがリモコン装置５２の２画面キー１００を押すと（Ｓ３０）、放送波の１画面モードに戻る。ＣＰＵ６２は、解像度変換回路２０に解像度を表示画面の全体になるように指示し、合成器２２に放送映像を全画面表示に切り替えるように指示し、ＯＳＤ回路６４には画面の右上にチャネル番号１４０を合成表示するように指示する（Ｓ３１）。同時に、ＣＰＵ６２は、ＨＤＤインターフェース２８に対してＨＤＤ３０を一時停止状態にするように指示する（Ｓ３２）。これにより、表示器２６には、図６（ｂ）に示すように、放送映像が全画面に表示される。
【００３３】
この状態でユーザがリモコン装置５２の２画面キー１００を押すと（Ｓ３３）、放送波映像と蓄積映像の２画面モードに戻る。ＣＰＵ６２は、ＨＤＤインターフェース２８に、ステップＳ３２の処理で一時再生停止にした箇所からＨＤＤ３０の映像を再生するように指示する（Ｓ３４）。ＣＰＵ６２は、最後に見た放送波のチャネルを基に、ステップＳ１３からＳ１５の処理と同様に、デコードする。ＣＰＵ６２は、解像度変換回路２０に解像度を表示画面の半分にするように指示し、ＯＳＤ回路６４には表示画面の右端上にチャネル番号を出し、合成器２２には右半分に表示するように指示する（Ｓ３５）。
【００３４】
一方、ＨＤＤ３０からの蓄積映像は出力され続け、ステップＳ２０からＳ２２の処理と同様にデコードされる。ＣＰＵ６２は、解像度変換回路３６に解像度を表示画面の半分にするように指示し、ＯＳＤ回路６４には表示画面の中央上のやや左寄りに「ＨＤＤ  ＰＬＡＹ」の文字を出すように指示し、合成器２２には蓄積画像を左半分に表示するように指示する（Ｓ３６）。
【００３５】
これにより、表示器２６には、図６（ｃ）に示すように、放送映像１３４が画面の右半分に、蓄積映像１３２が画面の左半分に合成された形式で表示される。放送映像の右上にはチャネル番号１４０が表示され、蓄積映像の右上には「ＨＤＤ  ＰＬＡＹ」の文字１３８がＯＳＤ回路６４により合成表示される。
【００３６】
ここでは、放送波のトランスポートストリームを記録するのにハードディスク装置を用いたが、テープドライブ又は光磁気ディスク等でも良い。
【実施例２】
【００３７】
第１実施例では、画面制御に連動してＨＤＤを制御したが、第２実施例では、ＨＤＤ制御に画面制御が連動させる。
【００３８】
図７は、その動作フローチャートを示す。ステップＳ２６までの処理は、第１実施例と同じなので、省略した。ここまでの処理で、右画面に放送映像が表示され、左画面に蓄積映像が表示されている。
【００３９】
ユーザによりリモコン装置５２のポーズキー９６が押されると（Ｓ４１）、ＣＰＵ６２は、ＨＤＤインターフェース２８に対しＨＤＤ３０からの読み出しの一時停止を指示する（Ｓ４２）。ＣＰＵ６２は、解像度変換回路２０に解像度を表示画面の全体になるように指示し、合成器２２に放送映像を全画面表示に切り替えるように指示し、ＯＳＤ回路６４に画面の右上にチャネル番号１４０を合成表示する（Ｓ４３）。これにより表示器２６には図６（ｂ）のように放送映像が全画面に表示される。
【００４０】
この状態でユーザがリモコン装置５２の再生キー８８を押すと（Ｓ４４）、放送波映像と蓄積映像の２画面モードに戻る。ＣＰＵ６２は、ＨＤＤインターフェース２８に対してステップＳ４２の処理で一時再生停止にした箇所からＨＤＤ３０の蓄積映像を読み出すように指示する（Ｓ４５）。ＣＰＵ６２は、解像度変換回路２０に解像度を表示画面の半分にするように指示し、ＯＳＤ回路６４には表示画面の右端上にチャネル番号を表示するように指示し、合成器２２には右半分に表示するように指示する（Ｓ４６）。
【００４１】
一方、ＨＤＤ３０の蓄積映像の再生が再開され、ステップＳ２０からＳ２２の処理と同様にデコードされる。ＣＰＵ６２は、解像度変換回路３６に解像度を表示画面の半分にするように指示し、ＯＳＤ回路６４には表示画面の中央上のやや左寄りに「ＨＤＤ  ＰＬＡＹ」の文字を出すように指示し、合成器２２には蓄積画像を左半分に表示するように指示する（Ｓ４７）。これにより、表示器２６には、図１（ｃ）に示すように、放送映像１３４が画面の右半分に、蓄積映像１３２が画面の左半分に合成された形式で表示される。更に、放送映像の右上にはチャネル番号１４０が表示され、蓄積映像の右上には「ＨＤＤ  ＰＬＡＹ」の文字１３８がＯＳＤ回路６４により合成表示される。
【実施例３】
【００４２】
図８は、ＨＤＤ３０の再生再開時の別の処理方法のフローチャートを示す。ステップＳ３３までの処理は、第１実施例と同じなので省略する。
【００４３】
ＣＰＵ６２は、ＨＤＤインターフェース２８に対し、ステップＳ３２の処理で一時再生停止にした箇所の少し前の時間からＨＤＤ３０の蓄積映像を再生するように指示する（Ｓ５１）。少し前とは、３秒前くらいが適当と考えられる。後の処理は、第１実施例１のステップＳ３５以降と同じなので、省略する。
【実施例４】
【００４４】
図９は、第４実施例の変更部分のフローチャートを示す。ステップＳ２６までの処理は第１実施例と同じなので、省略する。ユーザがリモコン装置５２の左画面キー９８と音量アップキー１１４を押したとする（Ｓ６１）。すると、左画面の蓄積映像の音量がアップする（Ｓ６２）。更にユーザがリモコン装置５２の２画面キー１００を押すと（Ｓ６３）、蓄積映像の１画面モードに戻る。ＣＰＵ６２は、現在再生している番組を再生しながら、受信中の復調＆エラー訂正回路１４からのトランスポートストリームをＨＤＤ２８に書き込むようにＨＤＤインターフェース２８に指示する（Ｓ６４）。ＣＰＵ６２は、デマルチプレクサ１６から書き込み中の番組のＰＡＴとＰＭＴから番組の終了時間を抜き出し、番組終了まで書き込むように予約する（Ｓ６５）。ＣＰＵ６２は、解像度変換回路３４に解像度を表示画面の全体になるように指示し、合成器２２に蓄積映像を全画面表示に切り替えるように指示し、ＯＳＤ回路６４に画面の右上に「ＨＤＤ  ＰＬＡＹ」の文字を合成表示するように指示する（Ｓ６６）。
【００４５】
第１実施例では、放送波の映像と記録媒体からの蓄積映像を同時に表示しているときに、放送映像のみを表示するよう指定すると、自動的に記録媒体からの再生を停止するように制御するので、改めて記録媒体からの再生を指示する手間が省ける利点がある。更に、同時表示を指定すると、先ほど停止した箇所から自動的に記録媒体からの再生を開始するので、改めて記録媒体からの再生を指示する手間が省ける利点がある。
【００４６】
第２実施例でも同様に、放送波の映像と記録媒体からの蓄積映像を同時に表示しているときに、記録媒体を停止させると、自動的に放送波のみの映像に切り替え、更に記録媒体の再生を指定すると、自動的に同時表示に切り替えるので、画面表示の切り替えを指示する手間が省ける利点がある。
【００４７】
第３実施例では、記録媒体の再生再開時に数秒前から再生を自動的に始めるので、再開時の見落としが無い利点がある。
【００４８】
第４実施例では、放送波の映像と記録媒体からの蓄積映像を同時に表示しているとき、蓄積映像のみの表示に切り替えても、放送波の録画を自動的に始めることで、放送波の見逃しが無くなる利点がある。
【図面の簡単な説明】
【００４９】
【図１】本発明を実施例の概略構成ブロック図である。
【図２】リモコン装置５２の外観図である。
【図３】ＨＤＤ再生リストの表示例である。
【図４】第１実施例の動作フローチャートの一部である。
【図５】第１実施例の動作フローチャートの残りである。
【図６】各実施例における表示の変化例である。
【図７】第２実施例の動作フローチャートである。
【図８】第３実施例の動作フローチャートである。
【図９】第４実施例の動作フローチャートである。
【符号の説明】
【００５０】
１０：アンテナ
１２：デジタルチューナ
１４：デジタルチ復調＆エラー訂正回路
１６：デマルチプレクサ
１８：放送映映像デコーダ
２０：解像度変換回路
２２：合成器
２４：Ｄ／Ａ変換器
２６：表示器
２８：ＨＤＤインターフェース
３０：ＨＤＤ
３２：デマルチプレクサ
３４：映像デコーダ
３６：解像度変換回路
３８：音声デコーダ
４０：音声デコーダ
４２：スイッチ
４４：Ｄ／Ａ変換器
４６：アンプ
４８：スピーカ
５０：共通バス
５２：リモコン装置
５４：リモコン・インターフェース
５６：ＲＡＭ
５８：プログラムＲＯＭ
６０：不揮発性メモリ
６２：ＣＰＵ
６４：ＯＳＤ回路
７０：赤外線発光部
７２：電源キー
７４：決定キー
７６：右カーソルキー
７８：下カーソルキー
８０：左カーソルキー
８２：上カーソルキー
８４：ＨＤＤメニューキー
８６：早戻しキー
８８：再生キー
９０：早送りキー
９２：録画キー
９４：ストップキー
９６：ポーズキー
９８：左画面キー
１００：２画面キー
１０２：右画面キー
１０４：チャネルダイレクトキー群
１０６：番組表キー
１０８：チャネルダウンキー
１１０：チャネルアップキー
１１２：音量ダウンキー
１１４：音量アップキー
【図１】
2008167476.tif 000003
【図２】
2008167476.tif 000004
【図３】
2008167476.tif 000005
【図４】
2008167476.tif 000006
【図５】
2008167476.tif 000007
【図６】
2008167476.tif 000008
【図７】
2008167476.tif 000009
【図８】
2008167476.tif 000010
【図９】
2008167476.tif 000011